(57)【特許請求の範囲】
【請求項１】
水性インキが充填されたボールペンレフィールが軸筒内に搭載され、キャップが装着される水性ボールペンにおいて、
前記軸筒の先端部には、軸筒先端の先口螺着部に接続された先口の外径よりもやや大径の大径部が形成され、、軸筒の表面に該大径部から軸方向の通気溝が形成され、該通気溝の一部が通気口として、キャップ装着時においても、軸筒の表面に露出して外部と連通していることを特徴とする水性ボールペン。
【請求項２】
前記通気溝がグリップで覆われていることを特徴する請求項１記載の水性ボールペン。
【発明の詳細な説明】
【０００１】
【発明の属する技術分野】
本発明は、非使用時にキャップが装着される水性ボールペンに関するものである。
【０００２】
【従来の技術】
水性インキ、ことに最近では、静的には高い粘性を有し、筆記時のボールの回転により粘性が低下する所謂ゲルインキをインキ収容管に直接充填した水性ボールペンが数多く実用化されている。かかる水性ボールペンは、ゲルインキが油性インキよりも粘度が低いので、インキ収容管に対する流動抵抗が小さい。また、筆跡長さに対するインキの消費量が油性インキよりも多いので、インキ収容管の内径は油性ボールペンよりも大径になる。従って、インキ収容管の尾端開口からのインキ洩れを防ぐために、インキの後端にグリース状の逆流防止剤を配置し、インキの消費につれて逆流防止剤が前進するようにしている。つまり、先端のボールペンチップと逆流防止剤の間のインキ収容管内には、空気が存在せず、ゲルインキのみが存在するようにしている。
【０００３】
【発明が解決しようとする課題】
ところで、キャップをボールペン本体に装着するときに、キャップの構造によっては、キャップの内圧が高まり易い。従って、キャップ内の加圧された空気の一部がボールとそれを抱持するチップの僅かな隙間を通ってインキ収容管内に流入することがある。そして、この流入した空気が気泡となってインキ内に残留し、筆記に際してのスムーズなインキ流出が阻害されることがある。
【０００４】
そこで本発明は、キャップ装着時において、キャップ内の加圧された空気がインキ収容管内に流入せず、筆記に際して、インキの流出がスムーズな水性ボールペンを提供することを目的とする。
【０００５】
【課題を解決するための手段】
かかる目的を達成するために、本発明は、水性インキが充填されたボールペンレフィールが軸筒内に搭載され、キャップが装着される水性ボールペンにおいて、軸筒の先端部に軸筒先端の先口螺着部に接続された先口の外径よりもやや大径の大径部を形成し、、軸筒の表面にこの大径部から軸方向の通気溝を形成し、この通気溝の一部がキャップ装着時においても軸筒の表面に露出して外部と連通させる。
また、通気溝をグリップで覆い、軸筒の表面に露出する通気口をグリップの端部に位置させる。
【０００６】
【発明の実施の形態】
以下に、図面に基づいて本発明の実施の形態を具体的に説明する。図１は本発明実施例の水性ボールペンの要部断面図を示すが、図１において、軸筒１内にボールペンレフィール６が収容されている。ボールペンレフィール６のインキ収容管６１の先端開口に、中心孔にチップ６３が嵌着された継手６２が接続されている。インキ収容管６１内には、静的には高い粘性を有し、筆記時のボールの回転により粘性が低下するゲルインキが充填され、インキの後端にはグリース状の逆流防止剤（図示せず）が配置されている。
【０００７】
チップ６３はステンレスにて砲弾型に成形されたものであり、チップ６３先端のボールハウス内に、例えば外径が０．５ｍｍであり、超硬合金からなるボール６４が回転自由に抱持されている。チップ６３内には小さなスプリング（図示せず）が配置されており、ボール６４はこのスプリングで弾発され、非筆記時においてチップ６３先端の内向き突起に圧接している。つまり、ボール６４とチップ６３先端の内向き突起により弁機構を構成しており、非筆記時は弁が閉じてインキがチップ６３先端から流出せず、筆記時においては、筆圧によりボール６４が後退して弁が開き、インキが流出するようになっている。
【０００８】
合成樹脂で成形された軸筒１の先端には、図２に示すように、先口螺着部１３が形成され、先口螺着部１３の尾端側の大径部１６にキャップ嵌着用の環状突起１２が形成されている。そして、大径部１６の尾端側には、やや小径のグリップ嵌着部１１が形成されており、このグリップ嵌着部１１に、図１に示すように、シリコンゴムなどからなる筒状のグリップ３が嵌め込まれている。軸筒１の大径部１６およびグリップ嵌着部１１の尾端部にかけて通気溝１４が軸線方向に形成されている。従って、図１に示すように、通気溝１４はグリップ３で覆われているが、グリップ３の尾端縁において通気溝１４が軸筒１の表面に露出しており、この露出した通気溝１４が通気口１５である。そして、これも図１に示すように、この通気口１５はキャップ４の装着時においても外部と連通している。
【０００９】
軸筒１の先口螺着部１３に先口２が螺着されるが、、先口２の外径は軸筒１の大径部１６の外径よりもやや小さくなっている。ボールペンレフィール６の継手６２の鍔部６２ａが軸筒１の先端縁と先口２の内段部によって挟圧され、これによりボールペンレフィール６が保持されている。
【００１０】
キャップ４内には、スカート状の嵌着部４１が形成されており、嵌着部４１の内周面に形成された内向き環状突起が軸筒１の環状突起１２を乗り越えることによりキャップ４は軸筒１に装着される。また、キャップ４の内部奥底には、不連続気泡を有する軟弾性体からなるシールボール５が配置されており、キャップ装着時には、チップ６３の先端がシールボール５によりシールされてインキが蒸発しないようになっている。
【００１１】
しかして、キャップ４を装着する過程で先口２などがキャップ４内に進入するのでキャップ４の内容積が減少するが、スカート部４１と先口２の外周面との隙間が少ないので、キャップ４内の空気は外部に逃げにくく、従って、キャップ４内の空気は加圧される。しかし、キャップ４の内部は通気溝１４および通気口１５によって外部と連通しているので、加圧された空気はこの経路を通って外部に逃れる。従って、キャップ４内の加圧された空気がボール６４をスプリングの弾発力に抗して後退させることがなく、空気がインキ収容管６１内に進入するのを防止することかできる。このため、インキ内に気泡が発生せず、筆記に際してインキの良好な流出を得ることができる。
【００１２】
【発明の効果】
以上説明したように、本発明は、水性インキが充填されたボールペンレフィールが軸筒内に搭載され、キャップが装着される水性ボールペンにおいて、軸筒の先端部に軸筒先端の先口螺着部に接続された先口の外径よりもやや大径の大径部を形成し、、軸筒の表面にこの大径部から軸方向の通気溝を形成し、この通気溝の一部がキャップ装着時においても軸筒の表面に露出して外部と連通させるので、キャップ装着時において、キャップ内の加圧された空気がインキ収容管内に流入せず、筆記に際して、インキの流出がスムーズな水性ボールペンとすることができる。
【図面の簡単な説明】
【図１】本発明実施例の要部断面図である。
【図２】軸筒の要部の正面図である。
【符号の説明】
１    軸筒
１１    グリップ嵌着部
１２    環状突起
１３    先口螺着部
１４    通気溝
１５    通気口
１６    大径部
２    先口
３    グリップ
４    キャップ
４１    スカート部
５    シールボール
６    ボールペンレフィール
６１    インキ収容管
６２    継手
６３    チップ
６４    ボール
【図１】
0003746973.tif 000002
【図２】
0003746973.tif 000003